(57)【要約】      （修正有）【課題】ダイヤル錠の解錠の暗証番号を、自分で覚えやすい番号や文字に、自由に設定や変更ができるダイヤル錠を提供する。【解決手段】ダイヤル錠１は、逆Ｕ字型係止杆５と、施錠や解錠の操作をする操作ダイヤル２で構成されていて、その機構は逆Ｕ字型係止杆５の切り込み溝に、操作ダイヤル２の内側の制御円盤が貫入し、逆Ｕ字型係止杆の動きを封じる機構となっている。この操作ダイヤル２を、数字が印刷されたダイヤルリング部品と、施錠や解錠を制御する円盤部品とに分割して作成し、この２つを自由に組み合わせて取り付けることで、暗証番号の設定や変更が出来るようにした。【選択図】図１
0003143532.tif 000002
【実用新案登録請求の範囲】
【請求項１】
所定数の数字や文字が印刷されたダイヤルリングと、逆U字型係止杆を制御する円盤とを有し、両者を組み合わせることで、ダイヤル錠のロック解除の位置で、所定の暗証コードを形成することを可能としたことを特徴とするダイヤル錠。
【考案の詳細な説明】
【技術分野】
【０００１】
本考案は、ダイヤル錠の解錠の暗証番号を、自分で覚えやすい番号や文字に、自由に設定や変更ができる、ダイヤル錠に関するものである。
【背景技術】
【０００２】
ダイヤル錠は、逆Ｕ字型係止杆の切り込み溝に、制御円盤の一部を挿入して、逆Ｕ字型係止杆を抜けなくして施錠となり、解錠は、特定の番号を目印に合わせた時、制御円盤に設けられた切り欠き部分が、逆Ｕ字型係止杆のところへ移動し、逆Ｕ字型係止杆が上方へ抜けるようになる。
このような機構で、番号を会わせるだけで施錠や解錠が出来るダイヤル錠は、鍵を使わないので鍵をなくする恐れが無く、番号を覚えているだけで誰でもやさしく簡単に使えるので、簡便な錠前として多用されている。
【０００３】
しかし、ダイヤル錠の使用は、使用者が解錠のとき目印として合わせる番号が、製作者が設定した番号で提供されているため、覚えにくい難点があった。
このため古いダイヤル錠は、番号を忘れて使えなくなり放置されていた。
【０００４】
現在この利便性の高いダイヤル錠の暗証番号を、覚えやすくする工夫が、おおいに期待されている所である。
そこでダイヤル錠の番号を、アルファベットやひらがなや漢字に変えるものが、特許文献１に、暗証番号を自由に設定できる方法が、特許文献２と特許文献３に提案されている。
（特許文献１〜３参照）
【０００５】
【特許文献１】特開２００８−０３１６９２号公報
【特許文献２】特開２００３−２１３９９３号公報
【特許文献３】実開平５−１７０５０号公報
【考案の開示】
【考案が解決しようとする課題】
【０００６】
特許文献１は数字が覚えにくいので、アルファベットやひら仮名に変える。または数字の語呂合せや漢字にしてその意味を取扱説明書へ明記して提供する、とあるが、これはアルファベットやひらがなでも、暗証番号の設定者が使用者本人でなく製作者であり、製作者が設定した文字が提供されているのであって、覚えにくい難点は解消されていない。
【０００７】
数字の語呂合わせや漢字は、各個人により想像力の違いがあるので、個人個人で語呂合わせや漢字の覚えやすさには違いがある。
また、暗証となる漢字の意味や語呂合わせの説明を、取扱説明書へ記載するなど、使用者へ製作者の意図を伝えなくてはならないという、新しい条件が発生する。
【０００８】
さらに決定的にだめなことは、語呂合わせや漢字の組み合わせの場合、同じ組み合わせと推察できるものが、暗証として使用されて複数個出回り、万一隣人同士が同じものを使用中なら、他人が隣の錠を解錠できるという不都合が発生し、錠前としての本来の機能をなくしてしまう恐れがある。文献１はこのような大きな欠陥が生じる。
【０００９】
特許文献２は、本考案とダイヤル錠の形式や、暗証番号の設定に係わる機構が大きく異なる。
【００１０】
特許文献３は、本考案と目的は同じであるが、ストッパーとなる部分の一部を折り曲げて取り除き、自分の好きな文字の組み合わせのダイヤル錠を組み立てるとあるが、手で折り曲げて取れるような部分が施錠のストッパーとなるのは、錠自体の強度に不安があり、またこの方式は何度も設定変更が出来ない。
【課題を解決するための手段】
【００１１】
前記の課題を解決するために、ダイヤル錠の機構である所の、ダイヤルを合わせることで逆U字型係止杆の動きを制御し、施錠や解錠の操作をするダイヤル部分を、数字や文字が印刷されたダイヤルリング部品と、施錠や解錠を制御する円盤部品とに分割して作成し、この２つを自由に組み合わせて取り付けることで、暗証番号の変更や設定が何度でも自由に出来るようにした。
【００１２】
ダイヤルリングを数字だけでなく、アルファベットや仮名や漢字を印刷したものを付けて、暗証コードに名前や愛称など幅広く設定出来るようにした。
【考案の効果】
【００１３】
本考案のダイヤル錠は、自分の好きな暗証を設定できるので、覚えやすく忘れない。
また暗証の変更もダイヤルリングと制御円盤の組み合わせで、簡単に出来るので、使用者が変わっても新しい使用者が新しく暗証を設定して、新品と同じように自分だけの錠として使用が出来る。このように年月がたって番号が分からなくなって、使えなくなったり、他人が使ったものはもらっても使えないなどの、いままでにあったダイヤル錠の欠点が解消され無駄もなくなる。
【考案を実施するための最良の形態】
【００１４】
図１のダイヤル錠１は、逆Ｕ字型係止杆５と、施錠や開錠を操作する操作ダイヤル２で構成されていて、その機構は逆Ｕ字型係止杆５の切り込み溝に、操作ダイヤル２の内側の制御円盤部分が貫入し、逆Ｕ字型係止杆の動きを封じる機構となっている。この操作ダイヤル２を、数字が印刷されたダイヤルリング部品と、施錠や解錠を制御する円盤部品とに分割して作成し、この２つを自由に組み合わせて取り付けることで、暗証番号の変更や設定が出来るようにした。
【実施例】
【００１５】
図３の数字を刻印したダイヤルリング６と、図４の逆Ｕ字型係止杆の制御円盤７を別々に作成し、制御円盤７には、ダイヤルリングの数字に対応した子穴、ダイヤルリング固定穴７ａ、７ｂ、７ｃ・・・７ｍをあけ、一方のダイヤルリング６には、両者を固定する突起の制御円盤固定ピン６ｘをつける。暗証番号を番号合わせ目印４に合わせた時、制御円盤７の切り欠き部分７ｘが、図２の逆Ｕ字型係止杆５の、係止杆制御溝５ａ、５ｂ、５ｃ部分へ来るように両者を組み合わせ、その組み合わせたブロック複数個を、図６のダイヤル錠基体８に組み込み、暗証番号を目印４に合わせた時、複数枚の制御円盤７の切り欠き部分７ｘが一直線に並び、逆Ｕ字型係止杆５が抜き差しできる状態で組み立てる。
その後、図７の上部キャップ９を上部キャップ取り付けねじ８ａにねじ込み、係止杆挿入穴１０を切り欠き部分７ｘに合わせて、逆Ｕ字型係止杆５を挿入してダイヤルリング６を回すと施錠となる。
解錠は番号合わせ目印４に、暗証番号を合わせると、逆Ｕ字型係止杆５が抜ける。
暗証番号の変更は、逆Ｕ字型係止杆５が抜けた解錠の状態で、上部キャップ９をはずして、前同様の作業をして、ダイヤルリング６と制御円盤７との組合せ場所を変更して設定する。
【００１６】
図５はダイヤルリングの暗証コードの例で、６ａは一般の数字を印刷したもの、６ｂは英字型１、６ｃは英字型２、６ｄは記号型で、ダイヤルリングを平らに展開した図である。これらを使うと暗証コードに、名前や愛称などが設定できる。
【００１７】
図８と図９は〔実施例〕〔００１５〕のダイヤルリング６と制御円盤７の組み合わせ方式を、歯車型にしたものである。図８と図９の（a)は同部品の平面図、同（b)は同部品の側面図である。図８のダイヤルリング歯車型１１の内側に、図９の制御円盤歯車型１２を、歯車を合わせて組み込み、前記同様にダイヤル錠基体８に組み立てて使用する。
【産業上の利用可能性】
【００１８】
ニューヨーク市で落書きを消して街を綺麗にしようと、落書き防止を徹底的に取り締まった所、殺人などの重大犯罪が大幅に減ったという、良いニュースがありました。小さな犯罪の助長が、重大犯罪へ発展していくと言う証拠かもしれません。
今後、本考案のような便利で使いやすいダイヤル錠が、安価に大量に出来るようになると、大勢の人々が何時でも何処でもちょっとした所でも、ダイヤル錠を使用するようになり、子供たちの小さないたずらや、色々な犯罪や空き巣や自転車泥棒なども減るようになるのではないでしょうか。
ダイヤル錠の暗証番号を、自分の覚えやすい番号に変更して使えば、番号忘れがなくなり何時までも使えて、無駄もなくなります。また私たち使用者が泥棒にあうことも少なくなり、平穏な穏やかな生活が送れるようになるでしょう。
このように小さな犯罪の温床がなくなれば、ひいてはニューヨークの例のように大きな重大犯罪の防止にも繋がり、平和で明るい文化国家となるのではないでしょうか。
【図面の簡単な説明】
【００１９】
【図１】実施例のダイヤル錠の斜視図。
【図２】実施例の逆Ｕ字型係止杆の図。
【図３】実施例のダイヤルリングの斜視図。
【図４】実施例の制御円盤の斜視図。
【図５】実施例のダイヤルリングの暗証コードの展開図。
【図６】ダイヤル錠基体の斜視図。
【図７】上部キャップの斜視図。
【図８】実施例のダイヤルリング歯車型を示し、同図（a)はその平面図、同図（b)はその側面図。
【図９】実施例の制御円盤歯車型を示し、同図（a)はその平面図、同図（b)はその側面図。
【符号の説明】
【００２０】
１    ダイヤル錠
２    操作ダイヤル
３    ダイヤル数字
４    番号合わせ目印
５    逆Ｕ字型係止杆
５ａ  係止杆制御溝１段目
５ｂ  係止杆制御溝２段目
５ｃ  係止杆制御溝３段目
６    ダイヤルリング
６ａ  ダイヤルリング数字型
６ｂ  ダイヤルリング英字型１
６ｃ  ダイヤルリング英字型２
６ｄ  ダイヤルリング記号型
６ｘ  制御円盤固定ピン
７    制御円盤
７ａ  ダイヤルリング固定穴１  
７ｂ  ダイヤルリング固定穴２  
７ｃ  ダイヤルリング固定穴３  
７ｍ  ダイヤルリング固定穴１３
７ｘ  制御円盤切り欠き
８    ダイヤル錠基体
８ａ  上部キャップ取り付けねじ
９    上部キャップ
１０    係止杆挿入穴
１１    ダイヤルリング歯車型
１２    制御円盤歯車型
１２ｘ  制御円盤歯車型切り欠き
【図１】
0003143532.tif 000003
【図２】
0003143532.tif 000004
【図３】
0003143532.tif 000005
【図４】
0003143532.tif 000006
【図５】
0003143532.tif 000007
【図６】
0003143532.tif 000008
【図７】
0003143532.tif 000009
【図８】
0003143532.tif 000010
【図９】
0003143532.tif 000011